(57)【特許請求の範囲】
【請求項１】
車両シートのバックレストとシート面の間に備えられたＩＳＯＦＩＸシステムと連結した専用の固定フープへ着脱自在に固定される四角状のフレーム装置と、当該フレーム装置の上方に着脱自在に固定させるチャイルドシート本体とから構成され、車両に乗せた子供を正しく着席させた姿勢で搬送するために使用するチャイルドシート(1)において、前記フレーム装置を、後方部を前記固定フープに着脱自在に固定する第１フレームパーツ（１７）と、当該第１フレームパーツ（１７）の前方部がその後方部へ移動自在に挿入されて第１フレームパーツ（１７）との相対位置を調整可能に連結され、且つその上方にチャイルドシート本体が着脱自在に固定される第２フレームパーツ（１８）とから形成し、更に、前記第１フレームパーツ（１７）と第２フレームパーツ（１８）との間に、第１フレームパーツ（１７）の前方にその後端を固定した１本のハンドルロッド（２０）と、当該ハンドルロッド（２０）の前端部に、当該前端部との連結箇所が前後方向へ移動可能にその後端を連結したレバー（２７）の後部のレバー部分（３１）と、レバー部分（３１）の前端に固定されて前記第２フレームパーツ（１８）の前方に配置した操作エレメント（３０）とから形成した固定メカニズムを備えた位置調整装置を設け、前記操作エレメント（３０）の操作により前記連結箇所を移動させ、第２フレームパーツ（１８）上に固定したチャイルドシート本体の前後方向の位置を調整及び固定する構成としたことを特徴とするチャイルドシート。
【請求項２】
固定メカニズムを備えた位置調整装置の固定メカニズムを、細幅の板状のハンドルロッド（２０）の前端部の側面に形成した複数の鋸歯状の切り込み（２１）と、後端が左右方向へ回動可能にその前方部近傍を軸により支持したレバー部分（３１）の後端に上下垂直方向に設けられ、前記鋸歯状の切り込み（２１）内へ側方より挿入されるピン（３２）と、ピン（３２）を切り込み（２１）内へ押し込む方向にレバー部分（３１）に力を加えるスプリング（３３）とから形成し、ピン（３２）を切り込み（２１）内に位置させることにより、第２フレームパーツ（１８）の第１フレームパーツ（１７）に対する位置を固定する構成のものとした請求項１に記載のチャイルドシート。
【請求項３】
固定メカニズムを備えた位置調整装置を、細幅の板状のハンドルロッド（２０）の前端部の側面に形成した複数の鋸歯状の切り込み（２１）と、後端部が左右方向へ回動可能に前方部近傍を軸により支持したレバー部分（３１）の後端に上下垂直方向に設けられ、鋸歯状の切り込み（２１）内へ側方より挿入されるピン（３２）と、ピン（３２）を切り込み（２１）内へ押し込む方向にレバー部分（３１）に力を加えるスプリング（３３）とから形成し、更に、前記鋸歯状の切り込み（２１）の形状を、ハンドルロッド（２０）に対して左右垂直方向の直線辺と開口方向に傾斜する傾斜辺からなる直角三角形状として、ピン（３２）が切り込み（２１）内に在るときには、ピン（３２）が切り込み（２１）の前記直線辺に契合することにより、固定フープに固定された第１フレームパーツ（１７）から第２フレームパーツ（１８）を前方へ引き出し移動が出来ないようにし、また、固定フープに固定された第１フレームパーツ（１７）に対して第２フレームパーツ（１８）を押し込み移動させる場合には、ピン（３２）が切り込み（２１）の前記傾斜辺に沿って移動して後方の隣接する切り込み（２１）内へ移動することにより、第２フレームパーツ（１８）の押し込み移動を可能とし、更に、操作エレメント（３０）の操作により、スプリング（３３）の力に抗してピン（３２）を切り込み（２１）外へ移動させることにより、第２フレームパーツ（１８）の移動を自由にする構成のものとした請求項１に記載のチャイルドシート。
【請求項４】
第２フレームパーツ（１８）の前方部及び後方部に連結エレメント（４６）,（４１）を設け、当該連結エレメント（４６）,（４１）にチャイルドシート本体の底面に設けたロッド（５６）又はロッド（６７）を支持及び固定することにより、第２フレームパーツ（１８）上にチャイルドシート本体を固定する構成とし、更に、前記第２フレームパーツ（１８）の前方部に設けた連結エレメント（４６）を、下方を第２フレームパーツ（１８）の縦桁(２２)に固定し且つ上辺に前記チャイルドシート本体の底面に設けたロッド（５６）を受け入れるＵ字型のスリット（５０）を形成した金属支持体と、当該金属支持体に回動可能に軸支され、その先端部にスリット(５０)内に支持した前記ロッド（５６）を保持固定するフック型ノーズ(５２)を備えたフック型エレメント(５１)と、フック型ノーズ(５２)にロッド（５６）を保持固定する方向の力を与えるスプリングと、一端が前記フック型エレメント(５１)に固定され、他端の操作部が第２フレームパーツ（１８）の前方に配置された手動操作用フープ（５３）とから構成し、手動操作用フープ（５３）の操作により、スプリングの力に抗してフック型エレメント(５１)を回動させてフック型ノーズ(５２)によるロッド（５６）の保持を解除するようにした請求項１に記載のチャイルドシート。
【請求項５】
チャイルドシート本体（６）の下面（４０，５９）に、中央部分（６８）と両サイドレッグ（６５）とを備えた逆Ｕ字型のアダプター（６３）を、その中央部分（６８）をチャイルドシート本体（６）のシート面(2)の前端より前方へ突出させて固定し、また、前記アダプター（６３）の両サイドレッグ（６５）の後方部の上に、スペーサーエレメント（６６）を介設して車両の進行方向と垂直方向にロッド（６７）を固定し、更に、第２フレームパーツ（１８）の前方部及び後方部に連結エレメント（４６）,（４１）を設け、当該連結エレメント（４６）,（４１）にチャイルドシート本体の底面に設けたロッド（５６）及びロッド（６７）を支持及び固定することにより、第２フレームパーツ（１８）上にチャイルドシート本体を車両の進行方向と逆向きに固定するようにした請求項１に記載のチャイルドシート。
【請求項６】
前記第２フレームパーツ（１８）の後方部に、上端に車両の進行方向と垂直方向のロッド（６７）を固定するL型切込み（４５）を設けた連結エレメント（４１）を、また、前記第２フレームパーツ（１８）の前方部に、チャイルドシート本体の底面の後部に設けたロッド（５６）を固定する連結エレメント（４６）を夫々設け、更に、当該連結エレメント（４６）を、下方を第２フレームパーツ（１８）の縦桁(２２)に固定し且つ上辺に前記チャイルドシート本体の底面の後部に設けたロッド（５６）を受け入れるＵ字型のスリット（５０）を形成した金属支持体と、当該金属支持体に回動可能に軸支され、その先端部にスリット(５０)内に支持した前記ロッド（５６）を保持固定するフック型ノーズ(５２)を備えたフック型エレメント(５１)と、フック型ノーズ(５２)にロッド（５６）を保持固定する方向の力を与えるスプリングと、一端が前記フック型エレメント(５１)に固定され、他端の操作部が第２フレームパーツ（１８）の前方に配置された手動操作用フープ（５３）とから構成し、手動操作用フープ（５３）の操作により、スプリングの力に抗してフック型エレメント(５１)を回動させてフック型ノーズ(５２)によるロッド（５６）の保持を解除するようにした、チャイルドシート本体を車両の進行方向と逆向きに固定するようにした請求項５に記載のチャイルドシート。
【請求項７】
第１フレームパーツ（１７）の後方には、二つの固定アーム（９）が取り付けられており、該固定アーム（９）の解放されている端部（１０）には、走行方向と直角な方向に延伸するスリット（１１）が設けられ、該スリット内にはそれぞれフック形エレメントが位置を調整できるように取り付けられていることを特徴とする請求項１に記載のチャイルドシート。
【請求項８】
フック形エレメントはスナップメカニズムを備えており、車両の固定フープを固定アーム（９）のスリット（１１）内に挿入すると、該スナップメカニズムの作用により該フック形エレメントがロック位置に入り、そこでロックされるようになっていることを特徴とする請求項７に記載のチャイルドシート。
【請求項９】
フック形エレメントのスナップメカニズムは、操作エレメント（３５）を前端に有するボーデンケーブル（３９）によってロック位置に入れられるようになっていることを特徴とする請求項８に記載のチャイルドシート。
【請求項１０】
固定アーム（９）の解放されている端部（１０）と第２フレームパーツ（１８）に固定したチャイルドシート本体のシート面（２）との間の車両進行方向の水平距離が、前記操作エレメント（３０）の操作により固定メカニズムを備えた位置調整装置のハンドルロッド（２０）とレバー部分（３１）の連結箇所を移動させ、チャイルドシート本体を固定した第２フレームパーツ（１８）の前後方向位置を変えることにより調整できるようになっていることを特徴とする請求項１に記載のチャイルドシート。
【請求項１１】
車両に固定される第１フレームパーツ（１７）は、Ｕ字形の構造になっており、その両サイドレッグは夫々固定アーム（９）に対応していることを特徴とする請求項１に記載のチャイルドシート。
【請求項１２】
チャイルドシート本体が固定される第２フレームパーツ（１８）は、Ｕ字形の構造になっており、ひとつまたは複数のコネクションロッド（２３、２４、２５）を備えていることを特徴とする請求項１に記載のチャイルドシート。
【請求項１３】
チャイルドシート本体が固定される第２フレームパーツ（１８）のＵ字形構造の縦桁（２２）は、それぞれＵ字形の断面形状になっており、その各断面にそれぞれ一つの車両に固定されている第１フレームパーツ（１７）の固定アーム（９）が通されていることを特徴とする請求項１に記載のチャイルドシート。
【請求項１４】
堅固に固定された連結エレメント（４１）は、チャイルドシート本体が固定される第２フレームパーツ（１８）の固定アーム（９）がある側に取り付けられていることを特徴とする請求項４に記載のチャイルドシート。
【請求項１５】
操作エレメント（３０）は、チャイルドシート本体が固定される第２フレームパーツ（１８）の前面（２３）に設けられていることを特徴とする請求項１に記載のチャイルドシート。
【請求項１６】
チャイルドシート本体の下面（４０，５９）に、後方へ取っ手となる中央部分（６８）を突出させて逆Ｕ字型のアダプター（６３）を固定する構成とした請求項１に記載のチャイルドシート。
【請求項１７】
チャイルドシート本体が固定される第２フレームパーツ（１８）に、フロアサポート（６９）が取り付けられていることを特徴とする請求項１に記載のチャイルドシート。
【請求項１８】
前記フロアサポート（６９）の長さは、調整できることを特徴とする請求項１７に記載のチャイルドシート。
【請求項１９】
車両の固定フープにチャイルドシート（１）を固定するフレーム装置は、周囲をハウジング（１３）で囲まれていることを特徴とする請求項１に記載のチャイルドシート。
【請求項２０】
前記ハウジング（１３）は、チャイルドシート本体が固定される第２フレームパーツ（１８）に固定されていることを特徴とする請求項１９に記載のチャイルドシート。
【請求項２１】
前記ハウジング（１３）は、下部ハーフシェル（１４）と上部ハーフシェル（１５）とから構成されていることを特徴とする請求項１９又は請求項２０に記載のチャイルドシート。
【請求項２２】
ロッド（５６、６７）は、チャイルドシート本体の下面（４０、５９）に脱着自在に取り付けられていることを特徴とする請求項４に記載のチャイルドシート。
【請求項２３】
四つのロッド（５６）が、共通する一つの梁部（５７）に取り付けられており、かつ該梁部（５７）は、シートの下面（４０、５９）にボルトで固定されていることを特徴とする請求項２２に記載のチャイルドシート。
【請求項２４】
ロッド（６７）を備えたアダプター（６３）には、チャイルドシート本体を超えて該チャイルドシート本体の縦方向に突出した取っ手となる中央部分（６８）が取り付けられていることを特徴とする請求項５に記載のチャイルドシート。
【請求項２５】
梁部（５７）をシートの下面（４０、４９）へ固定する固定ボルト（５８）は金属製であり、またチャイルドシート本体のアウターシートシェルおよび該アウターシートシェルの上面に設置したプレート（６１）を貫通していることを特徴とする請求項２３に記載のチャイルドシート。
【請求項２６】
前記チャイルドシート本体の下面（４０、５９）にはサイドエプロンが取り付けられており、該サイドエプロンは、車両の固定フープにチャイルドシート本体を固定する第２フレームパーツ（１８）のハウジング（１３）を、側面から取り囲むように保持していることを特徴とする請求項１に記載のチャイルドシート。
【請求項２７】
チャイルドシート（１）は、車両のシートベルトに固定する装置を備えているため、固定フープが未装備の車両でも使用できることを特徴とする請求項１に記載のチャイルドシート。
【請求項２８】
チャイルドシート（１）のチャイルドシート本体の下面（４０、５９）に、チャイルドシート本体を固定する第２フレームパーツ（１８）のハウジング（１３）を側面から取り囲むようにサイドエプロンを取り付けし、当該サイドエプロンをチャイルドシート（１）の垂直面として利用するようにした請求項２７に記載のチャイルドシート。
【発明の詳細な説明】
【技術分野】
【０００１】
本発明は、そのバックレストが車両のシートのバックレストクッションに接触し、また車両シートのバックレストとシート面の間にあり、かつ当該車両の構造、特にいわゆるＩＳＯＦＩＸシステムと連結した専用の固定フープにチャイルドシートを固定する装置を備えた、乗り物において子供を特に正しく座った状態で搬送するためのチャイルドシートに係る。
【背景技術】
【０００２】
いわゆるＩＳＯＦＩＸシステムは、乗用車内にチャイルドシートを確実に固定する規格化された差込み連結装置である。チャイルドシートを確実に固定するため車両の構造ないしシャーシには、後部座席のみの場合が多いが場合によっては助手席にも、各シートにそれぞれ二つの固定フープが溶接もしくはボルトで固定されている。
【０００３】
該固定フープは、車両のシートクッションとバックレストの間の隙間に入り込んで延伸し、シートの前面からアクセスできるようになっている。
【０００４】
該固定フープに固定したチャイルドシートには、さらに、該固定フープを取り囲むように保持できる嵌めこみになっているスナップコネクションが取り付けられている。そのため、上記のような方法で固定されたチャイルドシートは、車両が急ブレーキをかけた場合や衝突時でも動くことはない。
【０００５】
もっとも、子供を正しい姿勢に座らせた状態で搬送するチャイルドシートには、独自のシートベルトを装備している場合が多く、急ブレーキをかけた場合や衝突時には大きな制動力を受ける。この制動力は、明らかに車両のＩＳＯＦＩＸアンカーより上にある、特にチャイルドシートに座っている子供の重心部分に作用する。
【０００６】
一方、車両のシートベルトでチャイルドシートを固定した場合は、チャイルドシートの構造からチャイルドシートのＩＳＯＦＩＸコネクターへ力を導く必要がある。そのため従来は、ＩＳＯＦＩＸコネクターをチャイルドシートに堅固に連結し、力が伝達される連鎖内に脆弱な部分を存在させないよう努力がなされてきた。
【０００７】
しかし、そのような堅固な連結方法が採用されているチャイルドシートは、ＩＳＯＦＩＸコネクターがクッション内部に押し込まれ、クッションに損傷を与える可能性があるため、ＩＳＯＦＩＸ固定フープが未装備の車両には使用できないという状況になっていた。  従って、この種のＩＳＯＦＩＸチャイルドシートは、たとえ長時間かけて改良し、部品を交換したとしても、他の車両には使用すべきではないだろう。
【発明の開示】
【発明が解決しようとする課題】
【０００８】
上記のこうした従来の技術の欠点を克服し、ＩＳＯＦＩＸ固定フープが未装備の車両にも使用できるように、この種のチャイルドシートを改良することが本発明の課題となっている。
【課題を解決するための手段】
【０００９】
本発明では、車両の固定フープにチャイルドシートを固定するための装置を、該チャイルドシートから外せるようにすることでこの課題を解決している。
【００１０】
上記の対策を講ずることにより、チャイルドシートから突出しているためＩＳＯＦＩＸ固定フープが未装備の通常の車両ではむしろ障害となるＩＳＯＦＩＸスナップメカニズムを、不要な場合は取り外すことができるようになり、その結果、ＩＳＯＦＩＸスナップメカニズムを外したチャイルドシートは、従来のチャイルドシートとしてどのような車両にも使用できるようになっている。そのため、該チャイルドシートは、ＩＳＯＦＩＸ装備の有無に関わらず、新規購入した別の車両にいつでも移して使用できる。
【００１１】
車両の固定フープにチャイルドシートを固定する装置には、互いに調整できるフレームパーツが少なくとも二つ取り付けられていることが有利である。そのため、車両が変わればシート面やクッションなども大きく異なるが、そうした様々な車種にも容易に適合させることが可能となっている。ただし、チャイルドシートのバックレストは、加速時や制動時にチャイルドシートが前後に転倒ないよう、車両シートのバックレストクッションに常に強く押し付けておく必要がある。
【００１２】
本発明をさらに発展させ、一方のフレームパーツ（車両に固定されている第１フレームパーツ）には、車両の固定フープに連結させるエレメントをひとつまたは複数設置し、もう一方のフレームパーツ（チャイルドシート本体に固定されている第２フレームパーツ）には、チャイルドシート本体に連結するためのエレメントをひとつまたは複数取り付けることも可能である。このようなメカニズムにすることで、車種が変わりクッションの前面とＩＳＯＦＩＸ固定フープ間の間隔が異なる場合でも、容易に調整できるようになっている。
【００１３】
車両の専用固定フープにチャイルドシートを固定する装置、特に車両に固定されているフレームパーツ、すなわちチャイルドシート本体を取り外した際に車内に残る可能性があるチャイルドシートのパーツには、二本または複数の固定アームが取り付けられており、また、該固定アームの解放されている端部には、それぞれ走行方向と直角な方向に延伸するスリットが一つ設けられ、該スリット内には、それぞれ一つのフック形エレメントが位置を調整できるように設置されている。このようなフック形エレメントは、固定された状態にある場合、該スリットの端部と連動して車両のＩＳＯＦＩＸ固定フープを形状に合わせて取り囲むように保持する。
【００１４】
ひとつまたは複数のフック形エレメントにスナップメカニズムを取り付け、車両の固定フープが固定アームのスリットに入ると、そこのフック形エレメントがロック位置に移動し、そこでロックされるようにすることも本発明に含まれる。そのため、わざわざ固定具を操作したりレバーを回すなどの面倒な動作が不要であり、むしろ固定フープを固定アームのスリットに完全に挿入すれば、力がかかっていたスナップメカニズムが作動し、自動的にロックされるようになっている。
【００１５】
ひとつまたは複数の該フック形エレメントのスナップメカニズムを、応力がかかっていない位置や応力がかかった位置に移動させるために、ボーデンケーブルが設置されている。このボーデンケーブルの一端は該スナップメカニズムに、もう一方の端部は手動操作用のエレメントに接続している。ボーデンケーブルを採用することによって、操作エレメントは空間内にほぼ自由に配置できるようになり、具体的には、チャイルドシートの該固定アームから離れた位置で、チャイルドシートから容易にアクセスできるものの子供の手は届かない、シート面の下のエリアなどに一体化して設置できるようにもなっている。
【００１６】
該固定アームの解放されている端部とチャイルドシートのシート面との間隔は、調整できるようにしてあり、前記のように車両が変わっても、容易に適合できるようになっている。その場合、車両のシートおよび本発明のチャイルドシートは、共に中心垂直面に対して対称の形状になっているため、通常は二つまたは複数の固定アームが同じ様に調整できるようになっていれば充分である。
【００１７】
そのため本発明では、車両に固定されているフレームパーツをＵ字形の構造にし、また、該Ｕ字形構造の両サイドレッグが該固定アームに対応するようになっている。また、該両固定アームは、それぞれ、それ自体対称形であるフレーム構造の主要部分にもなっており、そのため位置調整時には同調して動くようになっている。
【００１８】
このような同調する位置調整は、車両に固定されている第１フレームパーツが、チャイルドシート本体が固定されている第２フレームパーツの中へ挿通されていることで可能となっている。該両フレームパーツは、一つの共通する面内にあり、また、チャイルドシートのシート面とほぼ平行になっている。そのため、該両フレームパーツは、互いに直線状にガイドする上では極めて適している。
【００１９】
互いに並列した状態でガイドできるよう、該チャイルドシート本体が固定されている第２フレームパーツもＵ字形の構造にし、場合によってはひとつまたは複数の補助クロス補強材を取り付け、該Ｕ字形構造を補強しておくことが望ましい。
【００２０】
リニアガイド自体は、チャイルドシートに固定されている第２フレームパーツのＵ字形構造の各サイドレッグをそれぞれＵ字形断面にし、該Ｕ字形断面の中に、車両に固定されている第１フレームパーツのそれぞれ一つのサイドレッグを通すことによって実現することができる。例として、チャイルドシート本体に固定されているＵ字形の第２フレームパーツのサイドレッグの互いに向い合う内側の面に、溝状のガイド溝をそれぞれ一つの設け、該ガイド溝の中に、車両に固定されている第１フレームパーツ、特に該第１フレームパーツのサイドレッグを押し込み挿入できるようにしておくことなども可能である。
【００２１】
該両フレームパーツの位置を正確に調整し、かつ互いにロックできるようにするため、チャイルドシート本体に固定されている第２フレームパーツと車両に固定されている第１フレームパーツの間に、固定メカニズムを備えた位置調整メカニズムを設置しておくと良い。チャイルドシート本体を車両シートのバックレストクッションに押し付ける場合、車両のチャイルドシート本体は後方に大きく動かすことができるため、位置調整はステップ調整でよく、０．５ｃｍ〜１．５ｃｍの幅でステップ調整できれば充分である。
【００２２】
また本発明は、固定メカニズムを手動で解放操作できるエレメントを備えている点も特徴となっている。そのため、本発明のチャイルドシート本体は、前の車両から取り外し、当初の状態に戻せば別な車両に取り付けることが可能である。
【００２３】
該チャイルドシート本体が固定されている第２フレームパーツは、チャイルドシート本体の下面と連結されている。チャイルドシート本体が固定されている第２フレームパーツは、車両に固定されている第１フレームパーツと共に共通の平面内に位置しており、こうした状況において該チャイルドシート本体に固定されている第２フレームパーツはほぼ水平になる。該チャイルドシート本体の下面には、回転トルクに対しても充分な耐力を確保するために、広い平行な面が設けられている。
【００２４】
本発明の考え方に基づき、該チャイルドシート本体が固定されている第２フレームパーツは、可能ならば四点が望ましいが少なくとも三点で、シートの側面の形状に合わせてチャイルドシート本体を適切に連結できるようにもなっている。これら各連結点は、水平方向に互いに間隔を置いて離れていることが望ましく、具体的にはそれぞれ２０〜５０ｃｍ、特に２５〜４５ｃｍ程度の間隔が確保されていることが望ましい。また、前記連結点の少なくとも二点は、走行方向に前後して配置され、チャイルドシート本体と該チャイルドシート本体が固定されている第２フレームパーツ間のぐらつきや転倒を阻止できるようになっている。
【００２５】
四点の連結点は（仮想）四角形の四つの角に相当する位置に配置し、チャイルドシート本体は、走行方向だけでなく走行方向と逆方向においても、車両の固定フープにチャイルドシート本体を固定する装置と連結できるようになっていることが望ましい。このような方形の一辺の（走行方向で測定した）長さは４０〜５０ｃｍ、（走行方向と直角な方向で測定した）幅は２５〜３５ｃｍほどにすることができる。こうした方形のサイズを実現するには、該連結エレメントをチャイルドシートまたはＩＳＯＦＩＸ装置、特にチャイルドシート本体が固定されている第２フレームパーツに設置する際に、走行方向と直角な方向に広がる垂直面に対して対称になるよう設置する。したがって、垂直軸を中心にチャイルドシート本体を１８０度回転させれば、連結点は再び正確に適合する。その結果、本発明のチャイルドシート本体は、法律で規定されているスウェーデンの場合のように、わずかなコストをかけるだけで、回転させて走行方向に対して後ろ向きにすることが可能となっている。ただし、本発明の場合、走行方向に対して後ろ向きに取り付けるにはさらに補助アダプターが必要となるため、次にこのアダプターについて説明する。
【００２６】
連結エレメントは、シートの下面または該シートの下面に固定できるエレメントもしくはアダプターに対称に取り付けられており、その連結エレメントは、走行方向に直角な方向に延伸するロッド形のエレメントになっている。このようなロッド形のエレメントを、該エレメントの縦方向とほぼ直角に交差する面内で取り囲むように保持することで、走行方向での加速時や、走行方向と逆の方向になる制動時でも確実に保持でき遊びが生じない。横方向への滑りは、端末面のストッパー面やストッパーエレメントによって阻止されている。
【００２７】
シートの下面にある各ロッド形エレメントを取り囲むように保持する複数のフック形エレメントは、シートの下面に取り付けたこの種のロッド形ロックエレメントに嵌め込み可能なように、チャイルドシート本体が固定されている第２フレームパーツに取り付けられている。その場合、前記のフック形エレメントは、補助ガイド面によって支持され、使用中は堅固にロックされ、外す場合も特定の方向に動かさなければ取り外せないようになっている。
【００２８】
例として、二つが望ましいが、ひとつまたは複数のフック形エレメントを、チャイルドシート本体が固定されている第２フレームパーツと堅固に連結する。このフック形エレメントには、一方の面とその反対側にあるガイド面とによって直線状もしくはＬ字形のスリットが形成されているため、Ｌ字形のスリットにあっては、場合によっては、屈曲しているスリットの縦軸と逆の方向に動かさなければ外せないようになっている。その場合、全体の構造としては、Ｌ字形スリットの縦軸が、固定アームの解放されている端部に向かって、もしくは当該車両シートのバックレストクッションに向かって湾曲した状態となり、車両のクッションに強く押し付けたチャイルドシート本体の場合には、事前に固定アームを開放しなければ、チャイルドシート本体の連結を解くことができないようになっている。
【００２９】
ロッド形エレメントを取り囲むように保持するひとつまたは複数の堅固なフック形エレメントのノーズを、ロッド形エレメントの直径よりも長くすると、大きな力にも耐える信頼性の高い形状が得られる。
【００３０】
このような堅固なフック形エレメントは、チャイルドシート本体が固定されている第２フレームパーツの近くか、もしくは第２フレームパーツの固定アームがある面に設ける。急ブレーキをかけた場合、チャイルドシート本体には前方へ向かって大きな力が作用するため、チャイルドシート本体が前の連結点を軸に前方へ転倒する可能性がある。そのため、走行方向の後ろの連結フックは、前の連結フックより堅固な構造にする必要がある。
【００３１】
他方、二つが望ましいが、ひとつまたは複数のフック形エレメントは、チャイルドシート本体が固定されている第２フレームパーツに回転できるように連結しておく。該フック形エレメントが回転するため、該フック形エレメントを一時的に緩めればチャイルドシートを取り付けることができるのである。
【００３２】
ひとつまたは複数のロッド形エレメントを取り囲むように保持するひとつまたは複数の回転するフック形エレメントのノーズを、ひとつまたは複数のロッド形エレメントの直径より短くすることも可能である。これは、回転するひとつまたは複数のフック形エレメントは、チャイルドシート本体の走行方向前面に取り付ける場合が多く、そこでは当然、緩めようとする力がほとんどかからないことによるものである。チャイルドシート本体の重量による力は下方向に作用するため、チャイルドシート本体を下方に押し付けると同時に、車両制動時には、この下方向の力にチャイルドシート本体の推力が加わり、また、車両が通常に加速する際には、車両シートのバックレストのクッションによって、チャイルドシート本体は車両シート上に留まり、転倒することはない。
【００３３】
ひとつまたは複数の回転するフック形エレメントは、それぞれ一つのスプリングによって押されるか、または引っ張られ、それぞれ一つのロッド形エレメントと噛み合うロック位置に移動する。
【００３４】
逆にこの回転するフック形エレメントを、関係するロッド形エレメントと噛み合わないオープン位置に移動させるため、該ひとつまたは複数の回転するフック形エレメントには、手動操作用のエレメントが連結されている。この手動操作用エレメントは、二重アームのレバーのグリップなどになっている。
【００３５】
操作用のエレメントはすべて、固定メカニズムから離れた、チャイルドシート本体が固定されている第２フレームパーツの前面に配置されている。その場所であれば、チャイルドシート本体を取り付けた状態であっても、いつでもアクセス可能であるからである。そのため、一時的に取り外す場合、チャイルドシート全体を車両のＩＳＯＦＩＸ固定フープから外すのか、それとも固定アームをあらかじめ緩めて伸ばしておき、その後、本来のチャイルドシートパーツ（チャイルドシート本体）のみを該チャイルドシート本体の下面にある固定ユニットから外すかは、ユーザー次第となっている。
【発明の効果】
【００３６】
急ブレーキをかけた際のチャイルドシート本体の転倒を防止するため、チャイルドシート本体が固定されている第２フレームパーツにはフロアサポートを設置できるようになっている。このフロアサポートは、当該チャイルドシート本体の前端付近で下方に延伸し、車両の床面やシャーシに固定されている。そのため、チャイルドシート本体が走行方向に対して直角な軸を回転軸として前方へ傾斜することもない。
【００３７】
該フロアサポートを、シートの高さとは関係なくどのような車両にも適合できるようにするため、フロアサポートの長さを、伸縮性を持たせるなどの方法で調整できるようにし、さらにクランプボルトやピン、割りピンなどを横から貫通させるなどの方法で固定できるようにしておく。
さらに別の長所として、車両の固定フープにチャイルドシート本体を固定する本発明のフレームパーツが、ハウジングによって囲まれている点が挙げられる。ハウジングで囲まれているため、異物の侵入からメカニズムを保護すると同時に、ユーザーを切り傷などの負傷から保護することも可能となっている。しかも、潤滑油等が車両のクッションに付着しない。
【００３８】
該ハウジングは、チャイルドシート本体が固定されている第２フレームパーツに取り付けられている。そのため、チャイルドシート本体やチャイルドシート本体のアウターシェルと、車両の固定フープにチャイルドシート本体を固定するフレーム装置を取り囲む該ハウジングとの間の相対的な位置関係は変更できない。その結果、該両ハウジングパーツを互いに同調させたり互いに補完させ、また連続させたり取り囲むように保持させることができ、極めて美的な構造を実現することが可能となっている。
【００３９】
該ハウジングの上面の、走行方向に延伸している側壁は、機械的な影響を受けないよう連結点を保護できるようになっている。
【００４０】
ひとつまたは複数のロッド形エレメントが、チャイルドシート本体の下面に脱着できるように取り付けられているか、または取り付けられるようになっている点も本発明の枠内に含まれる。そのため、様々な構造に対応する該連結エレメントは、走行方向に対するシートの向きに応じて、様々な位置に固定できるのである。
【００４１】
また本発明では、それぞれ複数、特に二つまたは四つのロッド形エレメントを、チャイルドシート本体の下面に固定されているか、もしくは固定、特にボルトで固定できる共通する一つの梁部に取り付けられるようになっている。そのため、チャイルドシート本体の下面に連結エレメントを設置する場合や逆にそこから取り外す場合のコストも低減する。
【００４２】
さらに本発明では、ひとつまたは複数のロッド形エレメントを備えた梁部には、シートの縦方向に、チャイルドシート本体から突出したフープが取り付けられている。このフープは、チャイルドシートを走行方向に対し後ろ向きに設置した場合、該チャイルドシート本体のシート面の解放されている端部を超えて、車両シートのバックレストクッションに接触する。そのため、チャイルドシート本体のシート面の解放されている端部と車両シートのバックレストとの間に間隔が生まれ、走行方向と逆向きに子供が座れば、生じたこの空間に子供は自分の足を置けるようになっている。このようなフープは、チャイルドシート本体の底面から大きく下方に突出させることができるため、チャイルドシート本体を傾斜させ子供が快適に座れるようにもなっている。
【００４３】
このような連結エレメントを、大きな力がかかった場合にも充分耐えられるよう確実にチャイルドシート本体の下面に取り付けるため、シート下面の連結エレメント用の固定ボルトは、チャイルドシート本体の（アウター）シートシェルと、該チャイルドシート本体のシート下に置かれたプレート（金属製が望ましい）を貫通している。そのため、急ブレーキをかけた際に仮に大きな衝撃がかかっても、大部分はチャイルドシート本体のボディー全体に分散されるようになっている。
【００４４】
また、チャイルドシート本体の下面には、車両の固定フープにチャイルドシートを固定するフレーム装置、特にそのハウジングを側面から覆うサイドエプロンを取り付けることによってさらに別な長所も得られる。こうしたサイドエプロンを取り付けることで側面をさらに補強でき、加えて該エプロン間にできる空間を有効活用できるため、結果的に本発明のチャイルドシートでは、車両のＩＳＯＦＩＸアンカーにチャイルドシートを固定するフレーム装置が脱着できるにもかかわらず、該チャイルドシートの下面の高さは、従来のチャイルドシートとほとんど変わらない。
【００４５】
本発明のチャイルドシートの場合、車両のシートベルトで固定する装置は、固定フープが未装備の車両にも使用することが可能である。これは車輌を新規に購入する場合には大きな利点となっており、仮にＩＳＯＦＩＸアンカー未装備車の購入を考えていてもチャイルドシートを新たに購入する必要がないからである。
【００４６】
固定フープ未装備の車両の場合には、本発明のチャイルドシートは、そうした固定フープにチャイルドシート本体を固定するフレーム装置を用いなくとも使用でき、その場合には該チャイルドシート本体の下面にあるサイドエプロンが垂直面として機能するため、固定フープを装備した場合と変わらない理想的な転倒防止効果が得られるようになっている。
【００４７】
最後に、チャイルドシート本体から外した本フレーム装置は、構造が異なるチャイルドシートまたはベビーシート、もしくはその両方を車両の固定フープに固定する場合にも使用できる点も、本発明の重要なポイントになっている。そのため、この種の装置は子供の成長に合わせて長期間、最終的にはチャイルドシートが不用になるまで使用可能ととなっている。またコストに関してもメカニズム購入時の一回限りで済むので、ユーザーにとっては利点も大きい。
【発明を実施するための最良の形態】
【００４８】
本発明のその他の特徴、特性、長所および効果は、以下の本発明の好適実施例の説明および添付図面から明らかとなる。
【００４９】
図１のチャイルドシート１は、チャイルドシート本体と当該チャイルドシート本体を車両に固定するためのフレーム装置とから形成されている。図１のチャイルドシート本体には、シート面２、バックレスト３、アームレスト４およびサイドヘッド／ショルダーサポート５が取り付けられている。堅固なアウターシェル６も取り付けられており、該アウターシェル６にはアームレスト４およびサイドヘッド／ショルダーサポート５が固定されている。また該アウターシェル６には本来のシート面２と本来のバックレスト３も可動に取り付けられ、アウターシェル６に対する傾斜角度を変更、調整できるようになっている。該バックレスト３の上端部分にはグリップホール７が設けられ、チャイルドシート１を容易に持ち運べるようになっている。
【００５０】
チャイルドシート１には、例えば三点または五点支持ベルト８などの独自のベルトシステムが取り付けられている。さらに、図では示されていないが、裏側には、自動車のシートベルトに固定する、特にクランプで固定する装置も取り付けられている。
【００５１】
図１の構造では、いわゆるＩＳＯＦＩＸ固定フープを装備した車両に固定するため、チャイルドシート１のフレーム装置の後面に二本の固定アーム９が設けられているが、図１ではその内の一方の固定アームしか表示されていない。該固定アーム９はいずれも、解放されている端部１０にスリット１１とフック形エレメントを備えており、その場合、該フック形エレメントは、該スリット１１内に通されている車両のＩＳＯＦＩＸ固定フープを後ろからグリップし、そうすることでチャイルドシート１を車両の構造に固定している。
【００５２】
しかし、図２もから判るように、固定アーム９は、チャイルドシート１のアウターシェル６自体ではなく、該アウターシェル６から取り外せるパーツ１２に取り付けられている。
このパーツ１２は、下部ハーフシェル１４と上部ハーフシェル１５という二つのシェルで構成されるハウジング１３を備えた台座になっている。
【００５３】
該ハウジング１３の内部構造は、図３では透視図で、図４では平面図でそれぞれ表示されている。主要なパーツとなるのは、フレーム状になっている金属製の構造１６である。このフレーム構造１６は、第１フレームパーツ１７と第２フレームパーツ１８との二つのフレームパーツから構成されている。
【００５４】
車両のＩＳＯＦＩＸ固定フープに固定できる固定アーム９は、車両に固定された第一のフレームパーツ１７のサイドスペア（側柱）を形成している。両固定アーム／サイドスペア９は、該両者の前部および後部の、解放されている端部１０と向い合う部分で、センターブリッジ１９によって互いに連結されており、そのため、車両に固定されている第１フレームパーツ１７は多少Ｕ字形になっている。該センターブリッジ１９からは、固定アーム／サイドスペア９の前方方向に向かってハンドルロッド２０が延伸しており、後述する理由から該ハンドルロッド２０には、それぞれ鋸歯状の基本面を有する切り込み２１が縦面に設けられている。全エレメント（固定アーム／サイドレッグ９、センターブリッジ１９、ハンドルロッド２０）は同一平面内にある。
【００５５】
チャイルドシート本体を支持しているもう一方の第２フレームパーツ１８も、同様に一つの面内、正確には車両に固定されている第１フレームパーツ１７の面内にある。該第２フレームパーツ１８は、車両に固定されている第１フレームパーツ１７の固定アーム／サイドレッグ９と平行またはほぼ同軸の二本の縦桁２２を備え、かつ該二本の縦桁２２の間を三本のコネクションロッドで連結した方形の構造になっている。該三本のコネクションロッドのうち一本２３は前部に、一本２４は後部に、そして残りの一本２５は前記二本のコネクションロッド２３、２４のほぼ中間、もしくは前部のコネクションロッド２３寄りに配置されており、そのため該縦桁２２は、中間のコネクションロッド２５によって前部と後部に分割され、しかも前部の長さが後部の長さの半分程度になっている。
【００５６】
該縦桁２２は、Ｕ字形断面の型材から造られており、また、該縦桁２２の解放されている縦面は互いに向い合っている。該縦桁２２を連結するコネクションロッド２３、２４、２５の長さは、サイドレッグ９の外面間にある車両に固定されている第１フレームパーツ１７の幅にほぼ対応している。また、Ｕ字型材２２の縦面内に設けられ、ほぼ溝状になっている窪みの断面は、車両に固定されている第１フレームパーツ１７のサイドレッグ９の外断面より多少大きい。その結果、第二フレームパーツ１８の両縦桁２２は、車両に固定されている第１フレームパーツ１７のサイドレッグ９を保持し、同時に、第二フレームパーツ１８に対して相対的に固定アーム９の方向へ移動できる、車両に固定されている第１フレームパーツ１７用の一種のリニアガイドにもなっている。
【００５７】
その場合、ハンドルロッド２０は中間のコネクションロッド２５と接触し、かつ交差している。また該ハンドルロッド２０は、中間のコネクションロッド２５に溶着したハンドルロッド２０の面内に位置するガイドプレート２６で支持することも可能である。該ハンドルロッド２０の、切り込み２１と向い合う縦面は、ガイドプレート２６と接触し、レバー２７によってガイドプレート２６に押し付けられている。
【００５８】
レバー２７は、前部のコネクションロッド２３、または該前部のコネクションロッド２３に溶着された、方形フレームの内部で延伸していることが望ましい金属アングル材２８で連結し、フレーム面に直角な方向の軸を回転軸として回転するようになっている。このレバー２７は、二つのアームを備えたレバーになっており、一方のレバー部分２９は、第２フレームパーツ１８の前面を超えて延伸し、その解放されている端部は、操作グリップ３０となっている。これに対し、もう一方のレバー部分３１は、ハンドルロッド２０の厚さの分だけ互いに離れた平行な二つの鉄板になっており、該二枚の鉄板の解放されている端部は、断面が円形であることが望ましいピン３２によって互いに連結されている。該ピン３２の直径は、鋸歯の長さ、または隣接する二つの鋸歯の間にある切り込み２１の長さより短い。
【００５９】
スプリング３３は、レバー２７の作動エリア内にあって金属アングル材２８と接触し、レバー２７だけでなく前部のコネクションロッド２３をも支持し、また常に該レバー２７を回転させるように作用し、後部のレバー部分３１に設けられているピン３２がハンドルロッド２０をガイドプレート２６に押し付けている。その場合、ピン３２はハンドルロッド２０の隣の切り込み２１に滑り込む。
【００６０】
各切り込み２１の前の側面は、ハンドルロッド２０と直角か、もしくはコネクションロッド２３〜２５と平行になっており、そのため、車両に固定されている第１フレームパーツ１７がこの固定された状態に入ると、もう一方の第２フレームパーツ１８の後面に接触したまま引き出すことは不可能となる。該両フレームパーツ１７、１８を一緒に動かすには、各切り込み２１の、当該切り込みの底の部分から広がっている開放部の方向に向かって見た場合の後ろの側面を、それぞれ前の側面から離すか、後方へ戻す。該両フレームパーツ１７、１８が対向する方向に動くと、レバー２７のピン３２は、後ろの傾斜面に沿って移動しガイドプレート２６から離れ、最終的に当該鋸歯の先端を越えると、ピン３２は隣の切り込み２１に滑り込む。
【００６１】
該両フレームパーツ１７、１８を引き離せるのは、操作グリップ３０を用いて、スプリング３３の力に抗してレバー２７を回転させ、ピン３２を切り込み２１のエリアから完全に外へ出し、ハンドルロッド２０が自由に動けるようになった場合に限られる。操作グリップ３０の横には、前部のコネクションロッド２３に溶着されたグリップがあるため、両グリップ３０、３４を押すとレバー２７は回転し、解除位置に入ると取り外せるようになる。
【００６２】
また、該両操作グリップ３０、３４の横の、前部のコネクションロッド２３の前面には、スリーブ３６と、該スリーブ内を直線状に通されているシャフト３７、および該シャフトの前端部につまみ状の延長部３８を備えたさらに別な操作エレメント３５が設置されている。該スリーブ３６は、それぞれ一本のボーデンケ−ブル３９の外装カバーと連結し、また該ボーデンケーブルのワイヤー状になっているコアは、該シャフト３７部分でつまみ状の延長部３８と連結している。
【００６３】
各ボーデンケ−ブル３９は、固定アーム９の後ろの端部にあって図では示されていないそれぞれ一つのスナップメカニズムに接続している。つまみ状の延長部３８を引くと、関係する該スナップメカニズムは、緩んではいるもののある程度の張力が作用した状態となり、該該スナップメカニズムのフック形エレメントがＩＳＯＦＩＸ固定フープを解除する。該固定フープを、固定アーム９の端部１０にあるスリット１１にもう一度挿入すると、該スナップメカニズムは外れ、再びＩＳＯＦＩＸ固定フープを保持するようになる。ボーデンケ−ブル３９の長さは、該両フレームパーツ１７、１８を最大限伸ばすことができ、かつピン３２もハンドルロッド２０の最も前の切り込み２１に収まる長さになっている。
【００６４】
第２フレームパーツ１８は、チャイルドシート１のアウターシェル６の下面４０に固定できるようになっている。そのために、該両縦桁２２の上面に連結点が二つ取り付けられ、該連結点の一方は前のサイドスペアのエリアに、もう一方の連結点は後ろのサイドスペアのエリアにそれぞれ取り付けられている。
【００６５】
図３からも判るように、後ろの連結エレメントはそれぞれ一つのスチールアングル材４１になっており、該スチールアングル材４１の水平部分４２は、縦桁２２の上面に溶着され、残りの部分４３はほぼ垂直に立ち上がっている。該スチールアングル材の垂直部分４３の解放されている上端４４には、該スチールアングル材４１をＬ字形に抜き取って作成した切り込み４５が設けられている。このＬ字形切り込み４５の開口部は、スチールアングル材４１の上端４４の後方部分にあるが、該切り込み４５の、該Ｌ字形開口部に対して屈曲した部分は、上端４４の下で前方に向かって広がっている。
【００６６】
同様に二つの前の両連結点においても、それぞれ一つのスチールアングル材４６が取り付けられており、該スチールアングル材４６の水平部分４７は、縦桁２２の上面と溶着されており、残りの部分４８はほぼ垂直に立ち上がっている。該スチールアングル材の垂直部分４８の解放されている上端４９には、互いに平行なほぼ垂直な側面を有するスリット状の切り込み５０が設けられている。
【００６７】
両スチールアングル材４６の垂直部分４８の互いに向き合う内面には、それぞれ一つのフック形エレメント５１が、関係する垂直部分４８と直角な軸を回転軸として回転するように取り付けられており、フック形ノーズ５２は、フック形エレメント５１の回転角度に応じてスリット５０と噛み合う場合や噛み合わない場合が発生する。フック形エレメント５１は、一個のスプリングによって、特にスプリングに引かれることによって回転し、内側位置に移動する。
【００６８】
この位置に入ると、両フック形エレメント５１の間にあるフープ５３を手作業で動かす以外、該フック形エレメント５１を動かすことはできない。該フープ５３は、ほぼＵ字形に湾曲している。その両サイドレッグ５４は、それぞれ一つのフック形エレメント５１と連結し、特に該フック形エレメントと溶着している。該フープ５３の中央部分５５は、前部のコネクションロッド２３の前面の前まで延伸しているため、容易にアクセスできるようになっている。
【００６９】
特に図３および図６から明らかなように、連結エレメント４１、４６のへの嵌め込み体は、その縦軸が走行方向に対してほぼ直角か、または該連結エレメント４１、４６の垂直部分４３，４８に対して直角な方向に延伸する短いパイプまたはロッド５６から構成されている。これらのパイプないしロッド５６の外径は、該切り込み４５、５０の幅にほぼ一致しているか、わずかながら小さくなっている。
【００７０】
これら二つのパイプないしロッド５６は、一つの梁部５７にまとめて設置されているのが標準的である。この梁部５７は、チャイルドシート本体が固定されている第２フレームパーツ１８の縦桁２２と平行な比較的長いプラスチックパーツになっており、このプラスチックパーツにパイプないしロッド５６を埋め込み、該パイプないしロッドの中央部分が梁部５７の下面にある窪みの内部で露出し、連結エレメント４１、４６で完全に取り囲むように保持できるようになっている。
【００７１】
大きな力が加わった場合でもパイプないしロッド５６が関係する梁部５７から外れないようにするため、該パイプないしロッドの埋め込まれている端部は、Ｕ字形に湾曲した鋼板のサイドレッグ内にある一列に並んだ二つの挿入用開口部の一つにそれぞれ挿入されている。このような鋼板の平坦な中央部分にも同様に貫通孔が設けられており、ひとつまたは複数の固定ボルト５８が通されている。梁部５７にも同様に貫通孔ないし窪みが設けられており、その貫通孔にも同様にボルト５８が挿入され、該梁部は完全に固定されている。
【００７２】
図５から判るように、本来のチャイルドシート１のアウターシェル６の下面５９にも、同様にボルト５８が通されている。このボルトのヘッド６０は、アウターシェル６の内側にあるそれぞれ一つの窪み６２の中に置かれた金属プレート６１の上面に出ている。本来のチャイルドシート１および梁部５７における上面および下面の金属挿入物は、形に合わせて上および下から、ボルトヘッド６０および取り付けたナットやその他のスレッドエレメントによって取り囲むように保持されている。そのため力、特に引張り力は、それぞれ広範囲に分散されるようになっている。
【００７３】
多くの国では、チャイルドシート１は走行方向に対して平行に使用されており、そのためチャイルドシート１のアウターシェル６は、そのバックレスト３の部分が車両のシートのバックレストクッションに接触している。しかし、スウェーデンなど国によっては、チャイルドシート１は走行方向に対して後ろ向きに設置するよう定められている国もある。走行方向に対し後ろ向きチャイルドシートを設置する場合に備えてフープ状のアダプターが用意されており、図６ではそのアダプターが示されている。
【００７４】
このアダプター６３はほぼＵ字形に湾曲したロッド６４であり、該湾曲したロッドの両サイドレッグ６５は、本来のチャイルドシート１の下面にボルトで、特に梁部５７の固定用に使用されている金属プレート６１を貫通するボルト５８によって固定されている。Ｕ字形に湾曲したロッド６４の下面には、走行方向と直角な方向に延伸するロッド６７が、ほぼ垂直のスペーサーエレメント６６を介して取り付けられているか、または溶着されている。
【００７５】
このロッド６７は、アダプター６３を使用する場合、後ろの連結エレメント４１、特にＬ字形の切り込み４５に入り込んで固定される。その結果、チャイルドシート１は走行方向に傾斜し、子供も楽な姿勢で座れるようになる。また、Ｕ字形に湾曲したロッド６４の中央部分６８は、後ろ向きになっているチャイルドシート１の、シート面の前端から８〜２５ｃｍ、特に１２〜２０ｃｍｍほど突出している。チャイルドシート１を取り付ける際に、この中央部分６８を車両シートのバックレストクッションで保持するようにすると、特に水平方向に自由空間が生じ、この空間に座っている子供の足を入れ自由に動かせるようになっている。
【００７６】
チャイルドシート本体に固定されている第２フレームパーツ１８の前面、特に前部のコネクションロッド２３の下面には、フレーム面に対してほぼ垂直ないし直角に下方向に伸びるフロアサポート６９が取り付けられており、該フロアサポートは車両の床面に固定されているためチャイルドシート１の転倒を防止できるようになっている。様々な車種にも適合できるよう、フロアサポート６９の長さは伸縮させて調整でき、各種異なる位置で固定できるようになっている。
【産業上の利用可能性】
【００７７】
本発明は、自動車のみならず、船舶や航空機等の各種の輸送手段に於いても利用できるものである。
【図面の簡単な説明】
【００７８】
【図１】車両の固定フープに固定する装置を装備した本発明のチャイルドシートの透視図である。
【図２】図１のチャイルドシートを車両の固定フープに固定する装置の透視図である。
【図３】図１のチャイルドシートを車両の固定フープに固定する図２の装置を、ハウジングを外し、図１のチャイルドシートの下面に固定可能な連結梁部を取り付けた状態で図２に対応した視点から示した透視図である。
【図４】図３では取り付けられていた連結梁部を外した状態を上から見た平面図である。
【図５】図１のチャイルドシートのアウターシェルを、そのインナーシェルを大きく回転させところを示した透視図である。
【図６】各種連結サポートを取り付けた、図１のチャイルドシートの下面の平面図である。
【符号の説明】
【００７９】
１はチャイルドシート、２はシート面、３はバックレスト、４はアームレスト、５はショルダーサポート、６はアウターシェル、７はグリップホール、８はシートベルト、９は固定アーム、１０は端部、１１はスリット、１２は固定装置、１３はハウジング、１６はフレーム構造、１７は第１フレームパーツ、１８は第２フレームパーツ、２２はサイドシェル、３０は操作グリップ、３４はグリップ、３８は操作エレメント、５３は操作エレメント、６９はフロアサポート。
【図１】
0005312746.tif 000002
【図２】
0005312746.tif 000003
【図３】
0005312746.tif 000004
【図４】
0005312746.tif 000005
【図５】
0005312746.tif 000006
【図６】
0005312746.tif 000007